(57)【要約】【課題】メインコンテンツに対し、関連する他のコンテンツを操作するための表示を行う。【解決手段】監視ポイントを示す情報が関連付けられたコンテンツを複数記憶する記憶部１と、ウィンドウ１００をコンテンツペイン１０２及びユーティリティペイン１０４を含む複数領域に区分けする設定部２と、記憶部１からコンテンツを読出してコンテンツペイン１０２に表示するコンテンツ表示部４と、コンテンツ表示部４により表示されたコンテンツから監視ポイントが選択された場合に、記憶部１から当該監視ポイントに関連する他のコンテンツを示す関連情報を生成してユーティリティペイン１０４に表示する関連情報表示部６とを備え、コンテンツ表示部４は、関連情報表示部６により表示された関連情報に基づいてコンテンツの表示が要求された場合に、記憶部１から当該コンテンツを読出してコンテンツペイン１０２に表示する。【選択図】図１
2018010511.tif 000002
【特許請求の範囲】
【請求項１】
オブジェクトを示す情報が関連付けられたコンテンツを複数記憶する記憶部と、
ウィンドウを第１表示領域及び第２表示領域を含む複数領域に区分けする設定部と、
前記記憶部からコンテンツを読出して前記第１表示領域に表示する第１表示部と、
前記第１表示部により表示されたコンテンツからオブジェクトが選択された場合に、前記記憶部から当該オブジェクトに関連する他のコンテンツを示す関連情報を生成して前記第２表示領域に表示する第２表示部とを備え、
前記第１表示部は、前記第２表示部により表示された関連情報に基づいてコンテンツの表示が要求された場合に、前記記憶部から当該コンテンツを読出して前記第１表示領域に表示する
ことを特徴とする画面表示装置。
【請求項２】
前記第２表示部は、
前記他のコンテンツをリスト化した関連リストを生成して前記第２表示領域に表示する関連リスト表示部と、
前記関連リスト表示部により表示された関連リストからコンテンツが選択された場合に、前記記憶部から当該コンテンツの要約画面を生成して前記第２表示領域に表示する要約画面表示部とを備え、
前記第１表示部は、前記要約画面表示部により表示された要約画面に対して当該要約画面が示すコンテンツの表示が要求された場合に、前記記憶部から当該コンテンツを読出して前記第１表示領域に表示する
ことを特徴とする請求項１記載の画面表示装置。
【請求項３】
前記第２表示部は、
前記他のコンテンツのタイプを示すアイコンを一覧表示したアイコン群画面を生成して前記第２表示領域に表示するアイコン群画面表示部を備え、
前記関連リスト表示部は、前記アイコン群画面表示部により表示されたアイコン群画面からアイコンが選択された場合に、前記記憶部から当該アイコンが示すタイプの前記他のコンテンツをリスト化した関連リストを生成して前記第２表示領域に表示する
ことを特徴とする請求項２記載の画面表示装置。
【請求項４】
前記設定部は、前記第１表示領域及び前記第２表示領域の大きさを変更可能である
ことを特徴とする請求項１から請求項３のうちのいずれか１項記載の画面表示装置。
【発明の詳細な説明】
【技術分野】
【０００１】
この発明は、コンテンツを表示する画面表示装置に関するものである。
【背景技術】
【０００２】
従来から、１つのウィンドウを内部枠によって複数の表示領域に区切り、各種画面の表示を行うＧＵＩが知られている（例えば特許文献１，２参照）。また、各々異なる複数のウィンドウを連携表示させるＧＵＩも知られている。
このようなＧＵＩでは、メインの表示領域又はメインのウィンドウに表示されているメインコンテンツに対し、何らかの処理（設定又は変更等）を行うためのメニュー画面を他の表示領域又は他のウィンドウに表示している。これにより、メインコンテンツに対して何らかの処理を行う場合に、優れた操作性を発揮することができる。
【先行技術文献】
【特許文献】
【０００３】
【特許文献１】特開２００２−１８９５１４号公報
【特許文献２】特開２０１４−２０６８１６号公報
【発明の概要】
【発明が解決しようとする課題】
【０００４】
しかしながら、従来技術では、メインコンテンツに対し、関連する他のコンテンツを操作するための表示はされていないという課題がある。
一方、ビル、工場又はプラント等のＩ／Ｏを監視する監視システムでは、多種多様のコンテンツを順次切替えながら確認作業を行っている。例えば、ある１つの監視ポイントに異常が発見された場合には、その監視ポイントに関連するコンテンツ（サマリグラフ、タイムスケジュール、イベントプログラム等）を順次確認する。このような作業が必要となる場合、経験が浅く業務スキルの未熟なベーシックユーザにとって、従来技術では操作に慣れるまでに利用し難いものとなっている。
【０００５】
この発明は、上記のような課題を解決するためになされたもので、メインコンテンツに対し、関連する他のコンテンツを操作するための表示を行うことができる画面表示装置を提供することを目的としている。
【課題を解決するための手段】
【０００６】
この発明に係る画面表示装置は、オブジェクトを示す情報が関連付けられたコンテンツを複数記憶する記憶部と、ウィンドウを第１表示領域及び第２表示領域を含む複数領域に区分けする設定部と、記憶部からコンテンツを読出して第１表示領域に表示する第１表示部と、第１表示部により表示されたコンテンツから選択されたオブジェクトに基づき、記憶部から当該オブジェクトに関連する他のコンテンツを示す関連情報を生成して第２表示領域に表示する第２表示部とを備え、第１表示部は、第２表示部により表示された関連情報に基づいてコンテンツの表示が要求された場合に、記憶部から当該コンテンツを読出して第１表示領域に表示するものである。
【発明の効果】
【０００７】
この発明によれば、上記のように構成したので、メインコンテンツに対し、関連する他のコンテンツを操作するための表示を行うことができる。
【図面の簡単な説明】
【０００８】
【図１】この発明の実施の形態１に係る画面表示装置の構成例を示す図である。
【図２】この発明の実施の形態１に係る画面表示装置の動作例を示すフローチャートである。
【図３】この発明の実施の形態１における設定部により設定されるウィンドウの一例を示す図である。
【図４】図４Ａ〜図４Ｃは、この発明の実施の形態１における関連情報表示部によりユーティリティペインに表示される関連情報の一例を示す図である。
【図５】図５Ａ、図５Ｂは、この発明の実施の形態１における設定部によるウィンドウの設定変更例を示す図であり、各表示領域に対する変更条件と、ウィンドウを縮小及び拡大した場合を示す図である。
【図６】この発明の実施の形態２に係る画面表示装置の構成例を示す図である。
【図７】この発明の実施の形態２に係る画面表示装置の動作例を示すフローチャートである。
【図８】図８Ａ〜図８Ｃは、この発明の実施の形態２における関連情報表示部によりユーティリティペインに表示される関連画面の一例を示す図である。
【発明を実施するための形態】
【０００９】
以下、この発明の実施の形態について図面を参照しながら詳細に説明する。
実施の形態１．
図１はこの発明の実施の形態１に係る画面表示装置の構成例を示す図である。
画面表示装置は、ビル、工場又はプラント等の施設におけるＩ／Ｏを監視する監視システムに搭載され、監視ポイント（オブジェクト）に関するコンテンツを表示するものである。この画面表示装置は、図１に示すように、記憶部１、設定部２、入力受付部３、コンテンツ表示部（第１表示部）４、メインリスト表示部５、関連情報表示部（第２表示部）６を備えている。なお、画面表示装置は、システムＬＳＩ等の処理回路や、メモリ等に記憶されたプログラムを実行するＣＰＵ等により実現される。
【００１０】
記憶部１は、コンテンツを複数記憶するものである。このコンテンツのタイプ（種別）としては、グラフィック（サマリグラフ）、チャート／トレンド、ポイント、デバイス、ログ、スケジュール（タイムスケジュール）、カレンダ、イベントプログラム、定時データ出力（日月週年報）、数値演算制御、条件判断制御、火災制御、停復電制御、電力デマンド制御、外部移報等が挙げられる。また、コンテンツには、当該コンテンツのオブジェクトである監視ポイントを示す情報が関連付けられている。
【００１１】
設定部２は、ディスプレイ等の表示装置（不図示）に表示されるウィンドウ１００を、第１表示領域及び第２表示領域を含む複数の表示領域に区分けするものである。以下では、ウィンドウ１００を、タイトルバー１０１、コンテンツペイン（第１表示領域）１０２、メニューペイン１０３及びユーティリティペイン（第２表示領域）１０４に区分けする場合を示す（図３参照）。なお、コンテンツペイン１０２は、メインコンテンツが表示される表示領域である。また、メニューペイン１０３は、メインコンテンツと同一のタイプのコンテンツをリスト化したメインリスト（メニュー画面）が表示される表示領域である。また、ユーティリティペイン１０４は、メインコンテンツと同一の監視ポイントに関連する他のコンテンツを示す関連情報（実施の形態１では関連リスト１１０と要約画面１２０）が表示される表示領域である。
【００１２】
入力受付部３は、マウス又はキーボード等の入力装置（不図示）を介したユーザによる入力を受付けるものである。
【００１３】
コンテンツ表示部４は、入力受付部３による受付け結果に応じて、記憶部１からコンテンツをメインコンテンツとして読出してコンテンツペイン１０２に表示するものである。すなわち、コンテンツ表示部４は、メインリスト表示部５により表示されたメインリストからコンテンツが選択された場合に、記憶部１から当該コンテンツをメインコンテンツとして読出してコンテンツペイン１０２に表示する。また、コンテンツ表示部４は、関連情報表示部６により表示された関連情報に基づいてコンテンツの表示が要求された場合（実施の形態１では、要約画面表示部６２により表示された要約画面１２０に対して当該要約画面１２０が示すコンテンツの表示が要求された場合）に、記憶部１から当該コンテンツをメインコンテンツとして読出してコンテンツペイン１０２に表示する。
【００１４】
メインリスト表示部５は、コンテンツ表示部４により読出されたコンテンツのタイプに基づき、記憶部１から当該タイプのコンテンツをリスト化したメインリストを生成してメニューペイン１０３に表示するものである。
【００１５】
関連情報表示部６は、入力受付部３による受付け結果に応じて、コンテンツ表示部４により表示されたコンテンツから監視ポイントが選択された場合に、記憶部１から当該監視ポイントに関連する他のコンテンツを示す関連情報を生成してユーティリティペイン１０４に表示するものである。この関連情報表示部６は、実施の形態１では、関連リスト表示部６１及び要約画面表示部６２を有している。
【００１６】
関連リスト表示部６１は、入力受付部３による受付け結果に応じて、コンテンツ表示部４により表示されたコンテンツから監視ポイントが選択された場合に、記憶部１から当該監視ポイントに関連する他のコンテンツをリスト化した関連リスト１１０を生成してユーティリティペイン１０４に表示するものである。
【００１７】
要約画面表示部６２は、入力受付部３による受付け結果に応じて、記憶部１からコンテンツの要約画面１２０を生成してユーティリティペイン１０４に表示するものである。すなわち、要約画面表示部６２は、関連リスト表示部６１により表示された関連リスト１１０からコンテンツが選択された場合に、記憶部１から当該コンテンツの要約画面１２０を生成してユーティリティペイン１０４に表示する。
【００１８】
次に、実施の形態１に係る画面表示装置の動作例について、図１〜４を参照しながら説明する。なお、記憶部１は、オブジェクトである監視ポイントを示す情報が関連付けられたコンテンツを複数記憶している。また、設定部２は、図３に示すように、ウィンドウ１００を、タイトルバー１０１、コンテンツペイン１０２、メニューペイン１０３及びユーティリティペイン１０４に区分けするものとする。また以下では、関連情報表示部６が関連リスト表示部６１及び要約画面表示部６２を有する場合を示す。
【００１９】
画面表示装置の動作例では、図２に示すように、まず、入力受付部３は、ユーザからコンテンツの表示要求を受付けたかを判定する（ステップＳＴ２０１）。
【００２０】
このステップＳＴ２０１において、入力受付部３がコンテンツの表示要求を受付けたと判定した場合には、コンテンツ表示部４は、記憶部１から当該コンテンツをメインコンテンツとして読出してコンテンツペイン１０２に表示する（ステップＳＴ２０２）。すなわち、コンテンツ表示部４は、メインリスト表示部５により表示されたメインリストからコンテンツが選択された場合に、記憶部１から当該コンテンツをメインコンテンツとして読出してコンテンツペイン１０２に表示する。また、コンテンツ表示部４は、要約画面表示部６２により表示された要約画面１２０に対して当該要約画面１２０が示すコンテンツの表示が要求された場合に、記憶部１から当該コンテンツをメインコンテンツとして読出してコンテンツペイン１０２に表示する。なお初回の表示では、例えば、予め設定されたタイプ（サマリグラフ等）のコンテンツを表示する。
【００２１】
次いで、メインリスト表示部５は、コンテンツ表示部４により読出されたコンテンツのタイプに基づき、記憶部１から当該タイプのコンテンツをリスト化したメインリストを生成してメニューペイン１０３に表示する（ステップＳＴ２０３）。例えば、メインリスト表示部５は、メインコンテンツとしてサマリグラフが表示された場合、施設内の各階又は各場所等の他のサマリグラフに切替え可能とするフォルダをツリー構造で表示する。
【００２２】
次いで、入力受付部３は、ユーザにより、コンテンツ表示部４により表示されたコンテンツから監視ポイントが選択されたかを判定する（ステップＳＴ２０４）。
【００２３】
このステップＳＴ２０４において、入力受付部３がコンテンツから監視ポイントが選択されたと判定した場合には、関連リスト表示部６１は、記憶部１から当該監視ポイントに関連する他のコンテンツをリスト化した関連リスト１１０を生成してユーティリティペイン１０４に表示する（ステップＳＴ２０５）。
【００２４】
一方、ステップＳＴ２０１において、入力受付部３は、コンテンツの表示要求を受付けていないと判定した場合には、ユーザからコンテンツの要約画面１２０の表示要求を受付けたかを判定する（ステップＳＴ２０６）。
【００２５】
このステップＳＴ２０６において、入力受付部３がコンテンツの要約画面１２０の表示要求を受付けたと判定した場合には、要約画面表示部６２は、記憶部１から当該コンテンツの要約画面１２０を生成してユーティリティペイン１０４に表示する（ステップＳＴ２０７）。すなわち、要約画面表示部６２は、関連リスト表示部６１により表示された関連リスト１１０からコンテンツが選択された場合に、記憶部１から当該コンテンツの要約画面１２０を生成してユーティリティペイン１０４に表示する。
【００２６】
ここで、実施の形態１に係る画面表示装置では、図３に示すように、ウィンドウ１００を、コンテンツペイン１０２及びユーティリティペイン１０４を含む複数の表示領域に区分けしている。これにより、１つのウィンドウ１００上に、メインコンテンツと、メインコンテンツの監視ポイントに関連する他のコンテンツを示す関連情報とを表示することができる。
【００２７】
また図４は、実施の形態１における関連情報表示部６によりユーティリティペイン１０４に表示される関連情報の一例を示す図である。この図４では、図４Ａにグラフィックの関連情報を示し、図４Ｂにチャートの関連情報を示し、図４Ｃにスケジュールの関連情報を示している。また図４では、関連リスト１１０と、当該関連リスト１１０で選択されたコンテンツの要約画面１２０とを表示した状態を示している。なお図４Ａ〜図４Ｃに示す関連情報は、ユーティリティペイン１０４上に一覧表示される。
図４の例では、まず、関連リスト表示部６１は、関連する他のコンテンツを示す全てのタイプの関連リスト１１０をユーティリティペイン１０４に一覧表示する。そして、ユーザによって関連リスト１１０の中から所望のコンテンツが選択されると、要約画面表示部６２は、当該コンテンツの要約画面１２０をユーティリティペイン１０４に表示する。なお図４の例では、要約画面１２０に、当該要約画面１２０が示すコンテンツの表示を要求するための「詳細」ボタン１２０１が設けられている。そして、ユーザにより要約画面１２０の「詳細」ボタン１２０１が押されると、コンテンツ表示部４は、当該要約画面１２０が示すコンテンツをコンテンツペイン１０２に表示する。
【００２８】
このように、ウィンドウ１００をコンテンツペイン１０２とユーティリティペイン１０４とに分けて表示を行うことで、ユーザが次の作業を容易に把握することができる。また、関連リスト１１０の表示、要約画面１２０の表示、コンテンツの表示といった順で段階的に表示を行うことで、経験の少ないユーザであっても段階を追って、詳細を表示すべきコンテンツを容易に探し出すことができる。また、ユーザは、要約画面１２０を確認した後にコンテンツを選択することができるため、無駄に画面遷移を行う必要はなく、詳細を表示すべきコンテンツを容易に探し出すことができる。
【００２９】
以上のように、この実施の形態１によれば、監視ポイントを示す情報が関連付けられたコンテンツを複数記憶する記憶部１と、ウィンドウ１００をコンテンツペイン１０２及びユーティリティペイン１０４を含む複数領域に区分けする設定部２と、記憶部１からコンテンツを読出してコンテンツペイン１０２に表示するコンテンツ表示部４と、コンテンツ表示部４により表示されたコンテンツから監視ポイントが選択された場合に、記憶部１から当該監視ポイントに関連する他のコンテンツを示す関連情報を生成してユーティリティペイン１０４に表示する関連情報表示部６とを備え、コンテンツ表示部４は、関連情報表示部６により表示された関連情報に基づいてコンテンツの表示が要求された場合に、記憶部１から当該コンテンツを読出してコンテンツペイン１０２に表示するように構成したので、メインコンテンツに対し、関連する他のコンテンツを操作するための表示を行うことができる。
【００３０】
なお上記では、ウィンドウ１００の各表示領域の大きさを固定とした場合を想定して説明を行った。しかしながら、これに限るものではなく、設定部２は、各表示領域の大きさを変更するようにしてもよい。この際、設定部２は、例えば図５Ａに示すような各表示領域に対する変更条件を用い、図５Ｂに示すようにウィンドウ１００の拡大又は縮小等を行う。
【００３１】
実施の形態２．
図６はこの発明の実施の形態２に係る画面表示装置の構成例を示す図である。この図６に示す実施の形態２に係る画面表示装置は、図１に示す実施の形態１に係る画面表示装置の関連情報表示部６に、アイコン群画面表示部６３を追加したものである。その他の構成は同様であり、同一の符号を付して異なる部分についてのみ説明を行う。
【００３２】
アイコン群画面表示部６３は、入力受付部３による受付け結果に応じて、コンテンツ表示部４により表示されたコンテンツから監視ポイントが選択された場合に、記憶部１から当該監視ポイントに関連する他のコンテンツのタイプを示すアイコンを一覧表示したアイコン群画面１３０を生成してユーティリティペイン１０４に表示するものである。
【００３３】
なお、関連リスト表示部６１は、入力受付部３による受付け結果に応じて、アイコン群画面表示部６３により表示されたアイコン群画面１３０からアイコンが選択された場合に、記憶部１から当該アイコンが示すタイプの上記他のコンテンツをリスト化した関連リスト１１０を生成してユーティリティペイン１０４に表示する。
【００３４】
次に、実施の形態２に係る画面表示装置の動作例について、図７を参照しながら説明する。この図７に示す実施の形態２に係る画面表示装置の動作例は、図２に示す実施の形態１に係る画面表示装置の動作例のステップＳＴ２０５をステップＳＴ７０１に変更し、ステップＳＴ２０６の前段にステップＳＴ７０２，７０３を追加したものである。その他の動作は同様であり、同一の符号を付して異なる部分についてのみ説明を行う。
【００３５】
ステップＳＴ７０１では、関連リスト表示部６１は、コンテンツ表示部４により表示されたコンテンツから監視ポイントが選択された場合に、記憶部１から当該監視ポイントに関連する他のコンテンツをリスト化した関連リスト１１０を生成してユーティリティペイン１０４に表示する。この際、関連リスト表示部６１は、実施の形態１と同様に、全てのタイプの関連リスト１１０を一覧表示する。また、アイコン群画面表示部６３は、記憶部１から上記他のコンテンツのタイプを示すアイコンを一覧表示したアイコン群画面１３０を生成してユーティリティペイン１０４に表示する。
【００３６】
一方、ステップＳＴ２０１において、入力受付部３は、コンテンツの表示要求を受付けていないと判定した場合には、ユーザからアイコンの選択を受付けたかを判定する（ステップＳＴ７０２）。
【００３７】
このステップＳＴ７０２において、入力受付部３がアイコンの選択を受付けたと判定した場合には、関連リスト表示部６１は、記憶部１から当該アイコンが示すタイプの上記他のコンテンツをリスト化した関連リスト１１０を生成してユーティリティペイン１０４に表示する（ステップＳＴ７０３）。
【００３８】
一方、ステップＳＴ７０２において、入力受付部３がアイコンの選択を受付けていないと判定した場合には、シーケンスはステップＳＴ２０６に進む。
【００３９】
図８は、実施の形態２における関連情報表示部６によりユーティリティペイン１０４に表示される関連情報の一例を示す図である。この図８では、図８Ａにグラフィックの関連情報を示し、図８Ｂにチャートの関連情報を示し、図８Ｃにスケジュールの関連情報を示している。また図８では、アイコン群画面１３０と、当該アイコン群画面１３０で選択されたアイコンが示すタイプの関連リスト１１０と、当該関連リスト１１０で選択されたコンテンツの要約画面１２０とを表示した状態を示している。
図８の例では、まず、関連リスト表示部６１及びアイコン群画面表示部６３は、全てのタイプの関連リスト１１０及びアイコン群画面１３０をユーティリティペイン１０４に表示する。そして、ユーザによってアイコン群画面１３０の中から所望のアイコンが選択されると、関連リスト表示部６１は、当該アイコンが示すタイプの関連リスト１１０のみをユーティリティペイン１０４に表示する。そして、ユーザにより関連リスト１１０の中から所望のコンテンツが選択されると、要約画面表示部６２は、当該コンテンツの要約画面１２０をユーティリティペイン１０４に表示する。そして、ユーザにより要約画面１２０の「詳細」ボタン１２０１が押されると、コンテンツ表示部４は、当該要約画面１２０が示すコンテンツをコンテンツペイン１０２に表示する。
【００４０】
以上のように、この実施の形態２によれば、アイコン群画面１３０を生成してユーティリティペイン１０４に表示するアイコン群画面表示部６３を備え、関連リスト表示部６１は、アイコン群画面表示部６３により表示されたアイコン群画面１３０からアイコンが選択された場合に、記憶部１から当該アイコンが示すタイプの他のコンテンツをリスト化した関連リスト１１０を生成してユーティリティペイン１０４に表示するように構成したので、実施の形態１における効果に加え、アイコン群画面１３０の表示、関連リスト１１０の表示、要約画面１２０の表示、コンテンツの表示といった順で段階的に表示を行うことで、経験の少ないユーザであっても段階を追って、詳細を表示すべきコンテンツをより容易に探し出すことができる。
【００４１】
なお実施の形態１，２では、画面表示装置が、ビル、工場又はプラント等のＩ／Ｏを監視する監視システムに搭載され、監視ポイントに関するコンテンツを表示するものとして説明を行った。しかしながら、これに限るものではなく、１つのウィンドウ１００に、メインコンテンツと、当該メインコンテンツから選択されたオブジェクトに関連する他のコンテンツを示す関連情報とを表示する画面表示装置であればよく、同様に適用可能である。
【００４２】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４３】
１  記憶部
２  設定部
３  入力受付部
４  コンテンツ表示部（第１表示部）
５  メインリスト表示部
６  関連情報表示部（第２表示部）
６１  関連リスト表示部
６２  要約画面表示部
６３  アイコン群画面表示部
１００  ウィンドウ
１０１  タイトルバー
１０２  コンテンツペイン（第１表示領域）
１０３  メニューペイン
１０４  ユーティリティペイン（第２表示領域）
１１０  関連リスト
１２０  要約画面
１３０  アイコン群画面
１２０１  「詳細」ボタン
【図１】
2018010511.tif 000003
【図２】
2018010511.tif 000004
【図３】
2018010511.tif 000005
【図４】
2018010511.tif 000006
【図５】
2018010511.tif 000007
【図６】
2018010511.tif 000008
【図７】
2018010511.tif 000009
【図８】
2018010511.tif 000010